(57)【要約】【課題】下部ケースを予め特定された設置位置に正確に案内し、分割構造を有する密封ケースを既設管に水密的に取付けることが出来る下部ケースの設置位置ガイド手段を提供すること。【解決手段】少なくとも上下方向に分割可能な分割構造を有する密封ケースの下部ケース４を、既設管１の予め特定された設置位置に向けて案内する下部ケース４の設置位置ガイド手段であって、下部ケース４を管軸に対し略直交する左右方向に案内する左右位置ガイド部１２と、上下方向に案内する上下位置ガイド部１３と、から少なくとも構成されている。【選択図】図２
2007292266.tif 000002
【特許請求の範囲】
【請求項１】
少なくとも上下方向に分割可能な分割構造を有する密封ケースの下部ケースを、既設管の予め特定された設置位置に向けて案内する下部ケースの設置位置ガイド手段であって、
前記下部ケースを管軸に対し略直交する左右方向に案内する左右位置ガイド部と、上下方向に案内する上下位置ガイド部と、から少なくとも構成されていることを特徴とする下部ケースの設置位置ガイド手段。
【請求項２】
前記下部ケースの外面に、略上下方向に延出した側辺部を少なくとも有する被案内体が固着されており、前記左右位置ガイド部は、略上下方向に設けられた第１側辺ガイドを少なくとも有し、該第１側辺ガイドが前記側辺部と当接して前記下部ケースを左右方向に案内することを特徴とする請求項１に記載の下部ケースの設置位置ガイド手段。
【請求項３】
前記左右位置ガイド部の下方に、略水平方向に設けられ滑性を備えた底辺ガイド部が更に構成されているとともに、前記被案内体は、少なくとも一部が略水平方向に延出した底辺部を更に有し、該底辺部が前記底辺ガイド部に載置されることを特徴とする請求項２に記載の下部ケースの設置位置ガイド手段。
【請求項４】
前記左右位置ガイド部と前記上下位置ガイド部とが、一体の矩形状体に構成されており、前記上下位置ガイド部が、前記設置位置において前記底辺部を載置する前記矩形状体の上辺であって、前記矩形状体は、前記第１側辺ガイドが前記側辺部と当接するガイド位置と、前記底辺部を前記上辺に載置する載置位置との間を少なくとも移動可能に形成されていることを特徴とする請求項３に記載の下部ケースの設置位置ガイド手段。
【請求項５】
前記矩形状体は、前記第１側辺ガイドが前記側辺部と離間している離間位置と、前記ガイド位置との間を更に移動可能に形成されていることを特徴とする請求項４に記載の下部ケースの設置位置ガイド手段。
【請求項６】
前記左右位置ガイド部により左右方向に案内された前記下部ケースを持上げるとともに前記既設管に対する上下位置を調整し、前記載置位置を決定する上下位置調整手段が、更に構成されていることを特徴とする請求項４または５に記載の下部ケースの設置位置ガイド手段。
【請求項７】
前記左右位置ガイド部は、前記上辺の上方であって前記第１側辺ガイドの略延長線上において形成された第２側辺ガイドを更に有し、該第２側辺ガイドは、前記側辺部に当接して前記下部ケースを左右方向に案内する案内位置と、前記上辺の上方から待避した待避位置との間を移動可能に形成されていることを特徴とする請求項４ないし６のいずれかに記載の下部ケースの設置位置ガイド手段。
【発明の詳細な説明】
【技術分野】
【０００１】
本発明は、少なくとも上下方向に分割可能な分割構造を有する密封ケースの下部ケースを、既設管の予め特定された設置位置に向けて案内する下部ケースの設置位置ガイド手段に関する。
【背景技術】
【０００２】
従来の分割構造を有する密封ケースの下部ケースの設置にあっては、下部ケースを例えば懸吊手段により既設管の外面に沿って懸吊し、予め特定された設置位置の下方に設けた受け架台に載置した後に、この設置位置に下部ケースを案内している（例えば、特許文献１参照）。
【０００３】
【特許文献１】特許第２６４９２８２号公報（第４頁、第５図）
【発明の開示】
【発明が解決しようとする課題】
【０００４】
特許文献１にあっては、特定された設置位置に下部ケースを案内するために、一般的には、下部ケースの下面と受け架台の上面との間に楔状部材等を慣用的に適宜介挿し、下部ケースを管軸に対し左右方向及び上下方向に案内する方法が採用されている。
【０００５】
しかしながら、下部ケースを設置位置に向けて正確に案内するために、様々な形状の楔状部材を要するばかりか、下部ケースの左右方向及び上下方向の調整作業が煩雑となり、作業性に難が生じていた。
【０００６】
本発明は、このような問題点に着目してなされたもので、下部ケースの左右方向及び上下方向の調整作業を簡便にし、作業性良く下部ケースを予め特定された設置位置に正確に案内することが出来る下部ケースの設置位置ガイド手段を提供することを目的とする。
【課題を解決するための手段】
【０００７】
上記課題を解決するために、本発明の請求項１に記載の下部ケースの設置位置ガイド手段は、少なくとも上下方向に分割可能な分割構造を有する密封ケースの下部ケースを、既設管の予め特定された設置位置に向けて案内する下部ケースの設置位置ガイド手段であって、
前記下部ケースを管軸に対し略直交する左右方向に案内する左右位置ガイド部と、上下方向に案内する上下位置ガイド部と、から少なくとも構成されていることを特徴としている。
この特徴によれば、左右位置ガイド部と上下位置ガイド部とから構成されている設置位置ガイド手段により、下部ケースの左右方向及び上下方向の調整作業を簡便にし、作業性良く下部ケースを予め特定された設置位置に正確に案内することが出来る。
【０００８】
本発明の請求項２に記載の下部ケースの設置位置ガイド手段は、請求項１に記載の下部ケースの設置位置ガイド手段であって、前記下部ケースの外面に、略上下方向に延出した側辺部を少なくとも有する被案内体が固着されており、前記左右位置ガイド部は、略上下方向に設けられた第１側辺ガイドを少なくとも有し、該第１側辺ガイドが前記側辺部と当接して前記下部ケースを左右方向に案内することを特徴としている。
この特徴によれば、左右位置ガイド部の第１側辺ガイドが、被案内体の側辺部と当接することにより、簡単な構成で下部ケースを左右方向に案内できる。
【０００９】
本発明の請求項３に記載の下部ケースの設置位置ガイド手段は、請求項２に記載の下部ケースの設置位置ガイド手段であって、前記左右位置ガイド部の下方に、略水平方向に設けられ滑性を備えた底辺ガイド部が更に構成されているとともに、前記被案内体は、少なくとも一部が略水平方向に延出した底辺部を更に有し、該底辺部が前記底辺ガイド部に載置されることを特徴としている。
この特徴によれば、滑性を備えた底辺ガイド部に被案内体の底辺部を載置して下部ケースの荷重を受けた後、下部ケースの左右位置を修正するに際し摩擦抵抗を低減出来るため、修正がし易い。
【００１０】
本発明の請求項４に記載の下部ケースの設置位置ガイド手段は、請求項３に記載の下部ケースの設置位置ガイド手段であって、前記左右位置ガイド部と前記上下位置ガイド部とが、一体の矩形状体に構成されており、前記上下位置ガイド部が、前記設置位置において前記底辺部を載置する前記矩形状体の上辺であって、前記矩形状体は、前記第１側辺ガイドが前記側辺部と当接するガイド位置と、前記底辺部を前記上辺に載置する載置位置との間を少なくとも移動可能に形成されていることを特徴としている。
この特徴によれば、ガイド位置において第１側辺ガイドを用いて下部ケースを案内した後に、矩形状体を移動して、載置位置において上辺を用いて下部ケースの荷重を受けることができる。
【００１１】
本発明の請求項５に記載の下部ケースの設置位置ガイド手段は、請求項４に記載の下部ケースの設置位置ガイド手段であって、前記矩形状体は、前記第１側辺ガイドが前記側辺部と離間している離間位置と、前記ガイド位置との間を更に移動可能に形成されていることを特徴としている。
この特徴によれば、第１側辺ガイドを離間位置に移動しスペースを取った状態にて、下部ケースの底辺部を底辺ガイドに当接させることが出来るため、下部ケースを容易に降下できるばかりか、滑性を備えた底辺ガイドを利用し、降下した下部ケースを左右方向に移動させ易い。
【００１２】
本発明の請求項６に記載の下部ケースの設置位置ガイド手段は、請求項４または５に記載の下部ケースの設置位置ガイド手段であって、前記左右位置ガイド部により左右方向に案内された前記下部ケースを持上げるとともに前記既設管に対する上下位置を調整し、前記載置位置を決定する上下位置調整手段が、更に構成されていることを特徴としている。
この特徴によれば、下部ケースが左右位置ガイド部により左右方向に案内された状態にて、下部ケースの上下位置が既設管に対し略平行と成った状態で既設管の外面に当接するように、下部ケースを正確に設置できる。
【００１３】
本発明の請求項７に記載の下部ケースの設置位置ガイド手段は、請求項４ないし６のいずれかに記載の下部ケースの設置位置ガイド手段であって、前記左右位置ガイド部は、前記上辺の上方であって前記第１側辺ガイドの略延長線上において形成された第２側辺ガイドを更に有し、該第２側辺ガイドは、前記側辺部に当接して前記下部ケースを左右方向に案内する案内位置と、前記上辺の上方から待避した待避位置との間を移動可能に形成されていることを特徴としている。
この特徴によれば、上辺の上方であって側辺ガイドの略延長線上に設けられた第２側辺ガイドを案内位置において用いることで、下部ケースを左右方向に案内する範囲を大きく取ることができ、待避位置において上辺を用いて下部ケースの荷重を受けることができる。特に請求項６を引用した発明においては、下部ケースの上下位置を上下位置調整手段により調整する際に、側辺部が第１側辺ガイドより上方に成るように下部ケースが持上げられても、左右位置ガイド部により左右方向に案内された位置を第２側辺ガイドにより支持できる。
【発明を実施するための最良の形態】
【００１４】
本発明の実施例を以下に説明する。
【実施例】
【００１５】
本発明の実施例を図面に基づいて説明すると、先ず図１（ａ）〜（ｃ）は、本発明の実施例における密封ケース装着後の配管状況を示す概略図である。図２は、下部ケースを案内している状況を示す設置位置ガイド手段の斜視図である。図３（ａ）は、離間位置における下部ケースの載置の状況を示す一部断面図であり、（ｂ）は、左右位置ガイド部により下部ケースを案内する状況を示す一部断面図である。図４（ａ）は、ジャッキにより下部ケースを上下調整する状況を示す一部断面図であり、（ｂ）は、上下位置ガイド部により下部ケースを案内する状況を示す一部断面図である。図５は、ガイド位置における下部ケースの載置の状況を示す一部断面図である。図６は、下部ケースを設置した状況を示す設置位置ガイド手段の側面図である。
【００１６】
本発明の実施例における密封ケース装着後の配管状況について説明すると、図１（ａ）に示されるように、本発明の既設管としての上水管である既設水道管１の管内流体の流下方向に対して、例えば既設水道管１の一部に撤去や補修が必要な部分よりも上流側の予め特定された設置位置Ｓに、既設水道管１の周方向に沿って継手リング８、８を取付け、本発明の密封ケース２を既設水道管１の外周面に水密的に装着する。次に図１（ｂ）に示されるように、密封ケース２内部の所定の既設水道管部分を切断して、この密封ケース２内部に例えば仕切体９を装着し、適宜継手リング８、８を管軸方向に移動して継手部分を密封し、図１（ｃ）に示されるように、既設水道管１に仕切体９を設置する構成を有している。
【００１７】
このような仕切体９を不断水状態で設置し、仕切体９内部を開閉可能とする弁体９ａを閉状態にすることにより、既設水道管１の設置位置Ｓの下流側には管内流体が流下しないようにできるため、設置位置Ｓの下流側に位置する管部分の撤去やあるいは補修等の作業が可能となる。
【００１８】
図１（ａ）〜（ｃ）及び図２に示されるように、本発明の既設管としての上水管である既設水道管１において接続される密封ケース２は、上部ケース（図示略）と下部ケース４とからなる上下方向に分割可能な分割構造を有しており、予め特定された設置位置Ｓにおいて、後述のように既設水道管１の外面に水密的に取付けられるものである。
【００１９】
図２に示されるように、本発明の下部ケース４の設置位置ガイド手段は、下部ケース４を設置位置Ｓに向けて案内する手段であって、管軸方向に所定長さ離間した２箇所において、後述する作業の際に移動しないように設置されたベース台１０に接続された一対の矩形状体１１と、矩形状体１１に挟まれた位置に底辺ガイドとしてのガイドローラ１５と、夫々のベース台１０の間において適所に４箇所配置された上下位置調整手段としてのジャッキ２０と、から主として構成されている。
【００２０】
矩形状体１１は、左右位置ガイド部としての略上下方向に設けられた第１側辺ガイド１２と、設置位置Ｓにおいて底辺部７を載置する上下位置ガイド部としての上辺１３とが一体に構成されており、矩形状体１１は、送りねじ２１を回動操作することにより、後述する離間位置Ａ（図３（ａ）参照）からガイド位置Ｂ（図３（ｂ）等参照）を経て載置位置Ｃ（図４（ｂ）参照）まで、ベース台１０の上面に沿って略水平方向に移動可能に形成されている。
【００２１】
また、図３（ａ）、（ｂ）に示されるように、本発明の左右位置ガイド部は、上辺１３の上方であって第１側辺ガイド１２の略延長線上において形成された第２側辺ガイド１７を有しており、第２側辺ガイド１７は、ヒンジ部１８を軸として回動可能に形成されており、図４（ａ）等に示されるように、第１側辺ガイド１２と同様に側辺部６に当接して下部ケース４を左右方向に案内する案内位置Ｄと、図４（ｂ）に示されるように、上辺１３の上方から待避した待避位置Ｅとの間を移動可能に形成されている。
【００２２】
図２等に示されるように、底辺ガイド部としてのガイドローラ１５は、第１側辺ガイド１２の下方において略水平方向に設けられ、ローラ軸周りに回転することで滑性を有して設置されている。尚、底辺ガイド部として、略水平方向に設けられ滑性を有していれば、必ずしもガイドローラ１５でなくてもよく、例えば底辺ガイド部は、滑材からなる平板であってもよい。
【００２３】
また、下部ケース４の下面に、設置位置において略上下方向に延出した側辺部６と、略中央において略水平方向に延出した水平面７ａを備える底辺部７とを有した被案内体５が固着されており、後述する案内がされる様になっている。
【００２４】
次に、下部ケース４の設置位置への案内について説明する。
【００２５】
図３（ａ）に示されるように、先ず下部ケース４は、懸吊手段（図示略）により既設水道管１の設置位置に外面に沿って懸吊されている。夫々の矩形状体１１、１１を送りねじ２１、２１により離間位置Ａに移動している状態において、被案内体５が矩形状体１１、１１の間に位置するように、下部ケース４を降下させ（図示白抜矢印参照）、被案内体５の底辺部７をガイドローラ１５上に載置する。被案内体５が矩形状体１１、１１の間に位置していれば、被案内体５がいずれかの矩形状体１１に寄った状態で載置されても構わない（図示下部ケース４は右側の矩形状体１１に寄った状態で載置されている）。
【００２６】
次に、図３（ｂ）に示されるように、夫々の矩形状体１１、１１を送りねじ２１、２１によりガイド位置Ｂに移動する（図示黒塗矢印参照）。この移動に際し、矩形状体１１の第１側辺ガイド１２、第２側辺ガイド１７が、被案内体５の側辺部６と当接し、下部ケース４を押圧して下部ケース４を管軸に対し略直交する左右方向に案内して修正する（図示白抜矢印参照、案内により下部ケース４は左側に向かって移動している）。
【００２７】
このように、左右位置ガイド部の第１側辺ガイド１２が、被案内体５の側辺部６と当接することにより、簡単な構成で下部ケース４を左右方向に案内できる。
【００２８】
またこのように、第１側辺ガイド１２を離間位置Ａに移動しスペースを取った状態にて、下部ケース４の底辺部７をガイドローラ１５に当接させることが出来るため、下部ケース４を容易に降下できるばかりか、矩形状体１１をガイド位置Ｂに移動させることにより第１側辺ガイド１２が側辺部と当接し、滑性を備えた底辺ガイドとしてのガイドローラ１５を利用し、降下した下部ケース４を小さい押圧力にて左右方向に移動させ易い。
【００２９】
また、滑性を備えたガイドローラ１５に被案内体５の底辺部７を載置して下部ケース４の荷重を受けた後、下部ケース４の左右位置を修正するに際し摩擦抵抗を低減出来るため、修正がし易い。
【００３０】
更に、矩形状体１１、１１が離間位置Ａに移動した状態において、下部ケース４を懸吊手段により降下させるため、それぞれの矩形状体１１、１１の離間距離が大きく取れて、下部ケース４を降下させ易い。
【００３１】
また、第１側辺ガイド１２に加えて、上辺１３の上方であって第１側辺ガイド１２の延長線上に設けられた第２側辺ガイド１７を案内位置Ｄにおいて用いることで、下部ケース４を左右方向に案内する範囲を大きく取ることができる。
【００３２】
尚、図３（ａ）に示されるように、上述したように矩形状体１１、１１を離間位置Ａに移動した状態において、下部ケース４を懸吊手段により降下させるに限られず、変形例として図５に示されるように、矩形状体１１、１１がガイド位置Ｂに移動している状態において、下部ケース４を降下させてもよい（図示白抜矢印参照）。このような場合には、下部ケース４が降下する際に、側辺部６が第１側辺ガイド１２及び第２側辺ガイド１７と当接し、下部ケース４が管軸に対し略直交する左右方向に案内される。
【００３３】
次に、下部ケース４の上下位置調整について説明すると、左右位置ガイド部としての第１側辺ガイド１２及び第２側辺ガイド１７により左右方向に案内された下部ケース４を持上げるとともに既設水道管１に対する上下位置を調整する上下位置調整手段としてのジャッキ２０が、更に構成されている（図２及び図６参照）。
【００３４】
図４（ａ）に示されるように、上述した下部ケース４の左右方向の案内をした後に、下部ケース４の下方の４箇所において適宜設置されたジャッキ２０を夫々上方に操作する（図示黒塗矢印参照）。ジャッキ２０の先端凸部２０ａが、下部ケース４の外面に予め設けられた凹部４ａに嵌合し、下部ケース４を持上げるとともに、下部ケース４が既設水道管１に対し傾いている場合には、下部ケース４の上下位置が既設水道管１の管軸に対し略平行と成った状態で既設水道管１の外面に当接するように夫々のジャッキ２０を調整し、後述する載置位置Ｃを決定する。
【００３５】
特に、既設水道管１の管軸に対して前後に配置されている夫々のジャッキ２０、２０（図６参照）により上下方向を適宜調整することで、管軸に対して下部ケース４を正確に設置できる。
【００３６】
そして被案内体５の底辺部７が、矩形状体１１の上辺１３と略同じ高さ位置若しくは若干高い位置に至るよう下部ケース４を持上げ操作する（図示白抜矢印参照）。このようにすることで、下部ケース４の上下位置を上下位置調整手段としてのジャッキ２０により調整する際に、側辺部６が第１側辺ガイド１２より上方に成るように下部ケース４が持上げられても、側辺部６と第１側辺ガイド１２とは離間するが、上述のように第１側辺ガイド１２、第２側辺ガイド１７により左右方向に案内された位置を第２側辺ガイド１７により支持できる。
【００３７】
次に、図４（ｂ）に示されるように、ガイド位置Ｂにおいて第１側辺ガイド１２を用いて下部ケース４を案内した後に、第２側辺ガイド１７を待避位置Ｅに待避させるとともに、矩形状体１１を送りねじ２１により載置位置Ｃに移動させて（図示黒塗矢印参照）、矩形状体１１の上辺１３に被案内体５の底辺部７を載置して、この載置位置Ｃにおいて上辺１３を用いて下部ケース４の荷重を受けることができる。
【００３８】
このように、下部ケース４が左右位置ガイド部としての第１側辺ガイド１２、第２側辺ガイド１７により左右方向に案内された状態にて、上下位置調整手段としてのジャッキ２０により下部ケース４の上下位置を調整し、上下位置ガイド部としての上辺１３により上下方向に案内できる。また、第２側辺ガイド１７を待避位置Ｅに待避させることで、待避位置Ｅにおいて上辺１３を用いて下部ケース４の荷重を受けることができる。
【００３９】
被案内体５の底辺部７は、水平面７ａの両端側が上方に向かってテーパ面７ｂ、７ｂに形成され、連続して側辺部６が形成されている。同様に矩形状体１１の上辺１３に、載置位置Ｃにおいて底辺部７のテーパ面７ｂの形状に対応するように、テーパ面１３ａが形成されている。このようにすることで、矩形状体１１を送りねじ２１により載置位置Ｃに移動させる際に、上辺１３に被案内体５の底辺部７を載置させ易い。
【００４０】
特に、矩形状体１１を移動させて上辺１３のテーパ面１３ａに底辺部７のテーパ面７ｂを載置させるに際し、テーパ面同士を摺接させることで、下部ケース４の上下位置を微調整することが出来る。
【００４１】
図６に示されるように、下部ケース４を設置位置Ｓに案内した後に、下部ケース４に上部ケース（図示略）を接続し、更に図示しない管切断手段等の付属部品を適宜接続して、密封ケース２内における既設水道管１の切除等の作業を行う。
【００４２】
上述したように、左右位置ガイド部としての第１側辺ガイド１２、第２側辺ガイド１７と、上下位置ガイド部としての上辺１３とから構成されている設置位置ガイド手段により、下部ケース４の左右方向及び上下方向の調整作業を簡便にし、作業性良く下部ケース４を予め特定された設置位置Ｓに正確に案内することが出来る。また、下部ケース４を設置位置Ｓに正確に案内できるため、分割構造を有する密封ケース２を既設水道管１に水密的に取付けることが出来る。
【００４３】
以上、本発明の実施例を図面により説明してきたが、具体的な構成はこれら実施例に限られるものではなく、本発明の要旨を逸脱しない範囲における変更や追加があっても本発明に含まれる。
【００４４】
例えば、上記実施例では、既設管の内部流体は上水道であるが、下水道若しくはガス等であってもよく、また密封ケース２内における作業として既設管を切断、切除、穿孔等のあらゆる作業を含み、密封ケース２内において仕切体９を設置するに限られず、流体弁等のあらゆる付属品の設置を含むものとする。
【００４５】
また、上記実施例では、左右位置ガイド部と上下位置ガイド部とが一体に構成された矩形状体１１が、離間位置Ａからガイド位置Ｂを経て載置位置Ｃまで移動可能に形成されているが、下部ケース４の左右位置の案内と上下位置の案内とが可能であれば、例えば矩形状体１１は、離間位置Ａに移動せず、ガイド位置Ｂと載置位置Ｃとの間を移動可能に形成されていてもよい。
【００４６】
また、上記実施例では、下部ケース４の上下位置を調整する上下位置調整手段としてのジャッキ２０が構成されているが、懸吊手段等により下部ケース４の上下位置を調整できれば、上下位置調整手段は、特段構成されていなくてもよい。
【００４７】
また、上記実施例では、上辺１３の上方であって第１側辺ガイド１２の略延長線上において形成された第２側辺ガイド１７を有しているが、第１側辺ガイド１２により左右方向に案内された下部ケース４の位置を維持できれば、上述した第２側辺ガイド１７は、特段構成されていなくてもよい。
【図面の簡単な説明】
【００４８】
【図１】（ａ）〜（ｃ）は、本発明の実施例における密封ケース装着後の配管状況を示す概略図である。
【図２】下部ケースを案内している状況を示す設置位置ガイド手段の斜視図である。
【図３】（ａ）は、離間位置における下部ケースの載置の状況を示す一部断面図であり、（ｂ）は、左右位置ガイド部により下部ケースを案内する状況を示す一部断面図である。
【図４】（ａ）は、ジャッキにより下部ケースを上下調整する状況を示す一部断面図であり、（ｂ）は、上下位置ガイド部により下部ケースを案内する状況を示す一部断面図である。
【図５】ガイド位置における下部ケースの載置の状況を示す一部断面図である。
【図６】下部ケースを設置した状況を示す設置位置ガイド手段の側面図である。
【符号の説明】
【００４９】
１                既設水道管（既設管）
２                密封ケース
４                下部ケース
４ａ              凹部
５                被案内体
６                側辺部
７                底辺部
７ａ              水平面
７ｂ              テーパ面
８                継手リング
９                仕切体
９ａ              弁体
１０              ベース台
１１              矩形状体
１２              第１側辺ガイド
１３              上辺
１３ａ            テーパ面
１５              ガイドローラ
１７              第２側辺ガイド
１８              ヒンジ部
２０              ジャッキ
２０ａ            先端凸部
２１              送りねじ
Ａ                離間位置
Ｂ                ガイド位置
Ｃ                載置位置
Ｄ                案内位置
Ｅ                待避位置
Ｓ                設置位置
【図１】
2007292266.tif 000003
【図２】
2007292266.tif 000004
【図３】
2007292266.tif 000005
【図４】
2007292266.tif 000006
【図５】
2007292266.tif 000007
【図６】
2007292266.tif 000008